(57)【要約】【課題】袖口を絞った状態で十分な固定力を有し、水や風の浸入を防ぐことのできる防水袖口を提供することを目的とする。【解決手段】袖口の外側に折り曲げ自在に止着片の一側を縫い付けると共に止着片の片側面に第１面ファスナを取付け、第１面ファスナの取付け側に折った止着片が袖口を覆う部位に第２面ファスナを取付け、さらに、止着片の縫い付け位置から第２面ファスナよりも離れた袖口外側の部位に第３面ファスナを取付け、しかして第１面ファスナと第２面ファスナはその一方がフック及びループあるいはフックのみを有する素材からなり、他方はフック及びループを有する素材からなり、そして第３面ファスナはループのみを有する素材により構成した。【選択図】図１
2005213696.tif 000002
【特許請求の範囲】
【請求項１】
袖口の外側に折り曲げ自在に止着片の一側を縫い付けると共に止着片の片側面に第１面ファスナを取付け、
第１面ファスナの取付け側に折った止着片が袖口を覆う部位に第２面ファスナを取付け、
さらに、止着片の縫い付け位置から第２面ファスナよりも離れた袖口外側の部位に第３面ファスナを取付け、
しかして第１面ファスナと第２面ファスナはその一方がフック及びループあるいはフックのみを有する素材からなり、他方はフック及びループを有する素材からなり、そして第３面ファスナはループのみを有する素材からなることを特徴とする防水袖口。
【請求項２】
袖口と袖との接続部分に沿ってシームテープを貼付けたことを特徴とする請求項１記載の防水袖口。
【発明の詳細な説明】
【技術分野】
【０００１】
本発明は、レインコート、ヤッケまたはウインドブレーカなどの衣類において、袖口からの雨水の浸入や風の吹き込みを防ぐのに適した防水袖口に関する。
【背景技術】
【０００２】
袖口や袖の部分に面ファスナを備えた止着片などを設けた衣類は一般に使用されているが、その面ファスナにより袖口を絞って袖口からの水の浸入や風の入り込みを防ぐ、といった実用的なものではなく、装飾的な意味合いが強いものが多い。
【０００３】
実用に供する目的で面ファスナが袖口に取付けられている場合でも、第８図に示すように、面ファスナ１３を備えた止着片３を袖口１に設け、この止着片３を引っ張ることにより袖口１を絞って袖口１に設けた面ファスナ１３に接着固定するもので、袖口１を強く絞っても固定力が十分でなく、着用者の動作により面ファスナ１３が緩んだり剥がれたりしてしまい、そこから水が浸入したり風が吹き込んでいた。
【発明の開示】
【発明が解決しようとする課題】
【０００４】
雨水の浸入や風の入り込みを防止するために、袖口を絞った状態で十分な固定力を保持し、着用者の動作によって袖口の絞りが緩むことのない防水袖口を提供することを目的とする。
【課題を解決するための手段】
【０００５】
前記課題を解決するために、請求項１記載のごとく、袖口の外側に折り曲げ自在に止着片の一側を縫い付けると共に止着片の片側面に第１面ファスナを取付け、第１面ファスナの取付け側に折った止着片が袖口を覆う部位に第２面ファスナを取付け、さらに、止着片の縫い付け位置から第２面ファスナよりも離れた袖口外側の部位に第３面ファスナを取付け、しかして第１面ファスナと第２面ファスナはその一方がフック及びループあるいはフックのみを有する素材からなり、他方はフック及びループを有する素材からなり、そして第３面ファスナはループのみを有する素材により構成した。
【０００６】
また、請求項２記載のごとく、袖口と袖との接続部分に沿ってシームテープを貼付けた。
【発明の効果】
【０００７】
請求項１記載のごとく、袖口に止着片を縫い付けて、この袖口と止着片に第１、第２及び第３面ファスナを設け、第１及び第２面ファスナを第３面ファスナに止着すべく構成したことで、第１及び第２面ファスナにより２段階に袖口の絞りを保持できるため、袖口を強く絞った状態で十分な固定力を有し、着用者の動作によって袖口が緩まず、雨水の浸入や風の入り込みを防ぐことができる。
【０００８】
請求項２記載のごとく、袖口や袖の縫付部に沿ってシームテープを貼付けたことにより、これらの縫付部からの水の浸入を防ぐことができる。
【発明を実施するための最良の形態】
【０００９】
以下、本発明の実施形態を、図面に基づいて詳述する。第１図は本発明に係る袖口の斜視図である。
【００１０】
袖２に縫付けられた袖口１の外周部には止着片３の一側が取付けられている。止着片３の片面には第１面ファスナ６が設けられ、この止着片３を折った際に第１面ファスナ６と袖口１とが重なる部位に第２面ファスナ７が設けられている。
【００１１】
また、第２面ファスナ７は止着片３の取付け部位の反対側に適切な幅をもった折代１１を備え、さらに、この折代１１から止着片３にかけての袖口１の外側部位には第３面ファスナ８が設けられている。
【００１２】
第３面ファスナ８は、折代１１から止着片３へかけての途中部位まで設けられていれば十分であるが、本実施例のようにほぼ全周にわたり第３面ファスナ８を設けることで外観をよくすることができる。
【００１３】
第２図は通常状態の袖口の斜視図である。止着片３を折って第１面ファスナ６と第２面ファスナ７を接着することができ、袖口１を絞らない通常状態で止着片３が邪魔になることがない。
【００１４】
次に袖口１の折畳みについて説明する。
まず、袖口１を強く絞って折代１１に沿って折畳み、第２面ファスナ７を第３面ファスナ８に接着する（第３図）。次に、止着片３を折って第１面ファスナ６を第３面ファスナ８に接着する（第４図）。
【００１５】
第１面ファスナ６及び第２面ファスナ７の２組の面ファスナで袖口１の絞り状態を２段階に保持しているため、袖口１を強く絞っても十分な固定力を有し、着用者の動作によって面ファスナが剥がれたり袖口が緩んだりすることがないため、袖口１からの雨水等の浸入を防ぐことができる。
【００１６】
本実施例において、第１面ファスナ６はフック及びループを有する素材からなり、第２面ファスナ７はフックのみを有する素材からなる面ファスナである。また、第３面ファスナ８はループのみを有する素材により形成されている。
【００１７】
第５図にその一例を図示する。第５図（ａ）はフック１４のみを有する面ファスナ、第５図（ｂ）はループ１５のみを有する面ファスナ、第５図（ｃ）はフック１４及びループ１５を有する面ファスナである。
ここに示した鉤状のフック１４は一つの例であって、本発明におけるフックは鉤状のものに限定されない。
【００１８】
第１面ファスナ６はフック及びループを有する素材により形成されているため、フックのみを有する素材からなる第２面ファスナ７とループのみを有する素材から成る第３面ファスナ８の両方と接着することができる。
また、袖口１の通常状態及び絞り状態のどちらの状態においても、フックを有する素材が露出することがなく、フックが服等の布地に引掛かることがなく生地をいためないし、肌触りもよい。
【００１９】
本実施例では第１面ファスナ６はフック及びループを有する素材からなる面ファスナで、第２面ファスナ７はフックのみを有する素材からなる面ファスナであったが、第１面ファスナ６をフックのみを有する素材で形成し、第２面ファスナ７をフック及びループを有する素材で形成してもよい。また、両方ともフック及びループを有する素材で形成してもよい。
【００２０】
また、面ファスナの接着面積を確保するために、袖口１は例えばウレタンのようなこしのある生地で形成するとよい。接着面積を確保できて面ファスナによる固定力が向上すると共に、袖口１を絞った際に手首への密着性がよいため、雨水などが浸入し難い。
【００２１】
第６図及び第７図は袖口１と袖２との縫付部４の断面図である。
第６図は裏地１０がある場合の実施態様を示しており、袖口１に表地９と見返し１２を縫付け、この見返し１２に裏地１０を取付ける。また、縫付部４にそって、挟むようにシームテープ５を貼付ける。表地９が２層の場合にこのような実施形態をとる。
【００２２】
第７図は裏地１０を取付けない場合の実施態様を示している。表地９が３層の場合にこのような実施形態をとる。
袖口１に表地９と見返し１２を縫付け、この縫付部４にそって、挟むようにシームテープ５を取付ける。さらに、裏地１０がないため見返し１２を表地９に縫付ける必要があり、表地９と見返し１２との縫付部にもシームテープ５を貼付ける。
【００２３】
袖口１と袖２との縫付部４や表地９と見返し１２との縫付部にシームテープ５を貼付けることで、これら縫付部からの雨水等の浸入を防ぐことができる。
【図面の簡単な説明】
【００２４】
【図１】袖口の斜視図
【図２】通常状態の袖口斜視図
【図３】絞り途中の袖口斜視図
【図４】袖口を絞った状態の袖口斜視図
【図５】（ａ）フックのみを有する面ファスナ（ｂ）ループのみを有する面ファスナ（ｃ）フック及びループを有する面ファスナの側面図
【図６】袖口の断面図
【図７】別の実施形態の袖口の断面図
【図８】従来の袖口の実施態様を示す斜視図
【符号の説明】
【００２５】
１    袖口
２    袖
３    止着片
４    縫付部
５    シームテープ
６    第１面ファスナ
７    第２面ファスナ
８    第３面ファスナ
９    表地
１０  裏地
１１  折代
１２  見返し
１３  面ファスナ
１４  フック
１５  ループ
【図１】
2005213696.tif 000003
【図２】
2005213696.tif 000004
【図３】
2005213696.tif 000005
【図４】
2005213696.tif 000006
【図５】
2005213696.tif 000007
【図６】
2005213696.tif 000008
【図７】
2005213696.tif 000009
【図８】
2005213696.tif 000010